(57)【要約】【課題】銃刀などにより攻撃されても、首が損傷しないようにする。【解決手段】防弾基体１に設けられた首挿入部３と、該防弾基体１の前記首挿入部３の前側に設けられた胸当て部５と、該防弾基体１の前記首挿入部３の両側に設けられた肩当て部７と、該首挿入部３の周縁部に立設された首防弾部９と、前記胸当て部５及び前記肩当て部７に設けられた着脱手段５ａ、７ａ、７ｂ、と、を備えている。【選択図】  図１
0003150551.tif 000002
【実用新案登録請求の範囲】
【請求項１】
防弾基体に設けられた首挿入部と、該防弾基体の前記首挿入部の前側に設けられた胸当て部と、該防弾基体の前記首挿入部の両側に設けられた肩当て部と、該首挿入部の周縁部に立設された首防弾部と、前記胸当て部及び前記肩当て部に設けられた着脱手段と、を備えていることを特徴とする首防弾板。
【請求項２】
前記首挿入部は、Ｕ字状、又は、楕円状に形成されていることを特徴とする請求項１記載の首防弾板。
【請求項３】
前記首防弾部の高さは、前側から後側に向かって次第に低くなっていることを特徴とする請求項１、又は、２記載の首防弾板。
【請求項４】
前記防弾基板の防弾材の円弧状端部と前記首防弾部の防弾材の下端部とは、互いに重合していることを特徴とする請求項１、２、又は、３記載の首防弾板。
【請求項５】
前記防弾基体の胸当て部の下端部には、位置合わせ用の面ファスナが設けられていることを特徴とする請求項１、２、３、又は、４記載の首防弾板。
【請求項６】
前記着脱手段は、面ファスナであることを特徴とする請求項１、２、３、４、又は、５記載の首防弾板。
【請求項７】
請求項１記載の首防弾板を装着していることを特徴とする防弾衣。
【考案の詳細な説明】
【技術分野】
【０００１】
この考案は、警察官等が銃刀等から身を守るために着用する防弾衣及びその首防弾板に関するものである。
【背景技術】
【０００２】
防弾衣には、銃弾や刃先等に対抗できる強靭な素材が包含されており、この防弾衣を着用することにより、被弾等による臓器の損傷を防止することが出来る。この防弾衣として、防弾衣を構成する前身頃と後身頃を肩部と脇腹部において連結し、これらの連結部を係止する複数のピンを、１回の動作で同時に引き抜くことで全ての連結が解除されるものがある（例えば、特許文献１、参照）。
【先行技術文献】
【特許文献】
【０００３】
【特許文献１】特開２００６−１７３３２号公報
【考案の概要】
【考案が解決しようとする課題】
【０００４】
従来例の防弾衣では、防弾材が装着者の胸部及び下腹部に対向しているので、臓器などは保護されるが、首周りには、防弾材が配設されていないので、前記首が損傷を受けることがある。即ち、前記防弾衣には、首の周りに防弾材が配設されていないので、首に向かって発射された弾丸や、胸部に向かって発射され、該胸部の防弾材（金属板）に衝突して反射し首に向かって流れる弾丸、などは、首に損傷を与えることがある。
【０００５】
この考案は、上記事情に鑑み、首が損傷しないようにすることを目的とする。
【課題を解決するための手段】
【０００６】
この考案は、防弾基体に設けられた首挿入部と、該防弾基体の前記首挿入部の前側に設けられた胸当て部と、該防弾基体の前記首挿入部の両側に設けられた肩当て部と、該首挿入部の周縁部に立設された首防弾部と、前記胸当て部及び前記肩当て部に設けられた着脱手段と、を備えていることを特徴とする首防弾板、である。
【０００７】
この考案の首挿入部は、Ｕ字状、又は、楕円状に形成されていることを特徴とする。この考案の首防弾部の高さは、前側から後側に向かって次第に低くなっていることを特徴とする。この考案の防弾基板の防弾材の円弧状端部と首防弾部の防弾材の下端部とは、互いに重合していることを特徴とする。この考案の前記防弾基体の胸当て部の先端には、位置合わせ用の面ファスナが設けられていることを特徴とする。この考案の前記着脱手段は、面ファスナであることを特徴とする。
【０００８】
この考案は、防弾基体に設けられた首挿入部と、該防弾基体の前記首挿入部の前側に設けられた胸当て部と、該防弾基体の前記首挿入部の両側に設けられた肩当て部と、該首挿入部の周縁部に立設された首防弾部と、前記胸当て部及び前記肩当て部に設けられた着脱手段と、を備えている首防弾板、を装着していることを特徴とする防弾衣、である。
【考案の効果】
【０００９】
この考案は、以上のように構成したので、該首防弾板の首挿入部に首を挿入し、着脱手段により防弾衣に固定することができる。そのため、銃弾や刀等の攻撃から首を守ることが出来る。又、着脱手段として面ファスナを用いると、その着脱を簡単、且つ、迅速に行うことができる。
【図面の簡単な説明】
【００１０】
【図１】本考案の実施形態を示す平面図である。
【図２】図1のii−ii線断面図である。
【図３】使用状態を示す正面図である。
【図４】使用状態を示す斜視図である。
【考案を実施するための形態】
【００１１】
防弾基体１には、首挿入部３と胸当て部５と肩当て部７とが形成されている。
前記防弾基体１は、防弾材１ａと該防弾材１ａを包囲する包含生地１ｂとを備えている。前記防弾材１ａとして、高強力繊維（例えば、全芳香族ポリアミド繊維、超高分子量ポリエチレン繊維）を積層したもの、金属材料、ＦＲＰ（繊維強化プラスチック）などが用いられる。この防弾材１ａは、防弾基体１の全面にわたって挿着されているが、該防弾材１ａの挿着範囲は、必要に応じて適宜選択することが出来る。
【００１２】
首挿入部３は、首の出し入れを容易にするために、Ｕ字状の切り欠き部としているが、必ずしも、Ｕ字状にする必要はなく、例えば、楕円形状に形成してもよい。前記首挿入部３の周縁部には首防弾部９が立設されている。この首防弾部９は、前記防弾基体１と同様に、防弾材９ａと、該防弾材９ａを包囲する包含生地９ｂとを備えている。
【００１３】
前記首防弾部９の高さは、前９ｃ（高さＨ１）側から後９ｄ（高さＨ２）側に向かって次第に低くなっている。これは、頭部保護のために面体を着用して首を回したときに、該面体の下端部が首防弾部９に接触しないようにするためである。前記首防弾部９の防弾材９ａの下端部９ｅと、防弾基体１の防弾材１ａの円弧状端部１ｆとは、互いに重なる様に配設されているので、前記首防弾部９と防弾基体１との接続部６は、完全に防弾材１ａ、９ａで保護されている。
【００１４】
肩当て部７は、Ｕ字状の首挿入部３の両側に左右一対設けられ、その表面及び裏面には、防弾衣１０に着脱するための着脱手段が設けられている。この着脱手段として、表面側に設けられた面ファスナ７ａと、裏面側に設けられた面ファスナ７ｂと、を用いているが、必ずしも、面ファスナに限定されるものではなく、例えば、チャック、ホックなどを用いることも出来る。又、前記面ファスナの大きさ、配設位置等は、必要に応じて適宜選択される。
【００１５】
胸当て部５には、防弾衣１０に着脱するための着脱手段が設けられている。この着脱手段として、裏面側に設けられた面ファスナ５ａが用いられているが、必ずしも、面ファスナに限定されるものではなく、例えば、チャック、ホックなどを用いることも出来る。又、前記面ファスナの大きさ、配設位置等は、必要に応じて適宜選択される。前記胸当て部５の先端部には、位置あわせ部１２が配設され、該位置合わせ部１２の裏面には、面ファスナ１２ａが設けられている。
【００１６】
次に、本実施形態の作動について説明する。
防弾衣１０を上半身に装着した後、首防弾板８の首挿入部３を首に嵌め、胸当て部５を防弾衣１０の胸部１０ａに当接させるとともに、位置合わせ部１２の面ファスナ１２ａを前記胸部１０ａの面ファスナに重合させる。前記胸部１０ａの面ファスナは、防弾衣１０の前身頃の胸部中央に位置するので、前記首防弾板８は設計位置に正確に位置決めされる。
【００１７】
首防弾板８の肩当て部７を防弾衣１０の肩部１０ｂに重ね、面ファスナ７ａを前記肩部１０ｂの面ファスナに接着させると共に、接続片１４を掴み、その自由端に形成されている面ファスナ１４ａを前記肩当て部７の面ファスナ７ｂに接着させる。前記接続片１４の基端は、前記防弾衣１０の後身頃に固定されているので、この連結片１４を介して首防弾板８は防弾衣１０の肩部１０ｂに連結固定される。以上の様にして前記首防弾板８の防弾衣１０への装着は、簡単に完了する。
【００１８】
前記防弾衣１０に向かって弾丸が発射され、該弾丸が首に向かって高速で飛んできても、該弾丸は、防弾材９ａに衝突してその前進を阻止されるので、首の損傷を防止することが出来る。
【００１９】
又、前記弾丸が、肩部１０ｂの防弾材に当たって反射し、前記首防弾部９と防弾基体１との接続部６に向かって流れることがあるが、前記首防弾部９の防弾材９ａの下端部９ｅと前記防弾基体１の防弾材１ａの円弧状端部１ｆとは、互いに重なる様に配設されているので、該弾丸は、前記接続部６を貫通することは出来ない。
【００２０】
警備作業終了後、前記防弾衣１０を脱ぐ場合には、前記と逆の要領で接着している面ファスナを離し、首防弾板８を防弾衣１０から分離する。
この様に、面ファスナの離着により、首防弾板８を防弾衣１０に簡単に着脱できる。
【符号の説明】
【００２１】
１      防弾基体
１ａ    防弾材
３      首挿入部
５      胸当て部
５ａ    面ファスナ
７      肩当て部
７ａ    面ファスナ
７ｂ    面ファスナ
８      首防弾板
９      首防弾部
９ａ    防弾材
１０    防弾衣
１０ａ  胸部
１０ｂ  肩部
１４    接続片
【図１】
0003150551.tif 000003
【図２】
0003150551.tif 000004
【図３】
0003150551.tif 000005
【図４】
0003150551.tif 000006